(57)【特許請求の範囲】
【請求項１】
厚さが６０μｍ〜７６０μｍの光透過性を有する基材上の表面に、潜像画像が分割された複数の第１の画線と複数の非画線が交互に規則的に配置された線画模様と、
前記複数の第１の画線上に、前記第１の画線を隠蔽するための前記第１の画線と色相が異なる複数の第２の画線を重ねて設け、
前記第１の画線と前記第２の画線を設けた前記光透過性を有する基材の裏面に光反射性基材を設けた印刷物であって、
前記印刷物を真上から観察した場合に、前記複数の第２の画線のみが確認され、斜めから観察した場合に、前記複数の非画線から、前記光反射性基材に写った前記第１の画線が前記潜像画像として視認されて、前記複数の第２の画線が前記潜像画像の背景として確認できることを特徴とする真偽判別可能な印刷物。
【請求項２】
前記第２の画線に隠蔽された前記第１の画線を長手方向に２分割して、一方に第１の線画模様を設け、他方に第２の線画模様を設けることを特徴とした請求項１記載の真偽判別可能な印刷物。
【請求項３】
前記線画模様が文字、記号又は絵柄模様からなることを特徴とした請求項１又は２記載の真偽判別可能な印刷物。
【発明の詳細な説明】
【０００１】
【発明の属する技術分野】
本発明は、銀行券、株券、有価証券、通行券、カード等の偽造、変造を防止する必要性のある貴重印刷物に適用される、印刷物を真上から観察した場合にカモフラージュ模様により線画模様を認識することができず、印刷物を斜めから観察した場合に、線画模様が潜像画像として出現する真偽判別可能な印刷物に関するものである。
【０００２】
【従来の技術】
従来、銀行券、株券、有価証券、通行券、カード等の偽造、変造を防止する必要性のある貴重印刷物において、印刷物を傾けて観察することにより潜像画像を認識できるようにして真偽判別を行う技術は公知であり、凹版印刷物の画線構成を利用するもの、凹凸基材と印刷画線を利用するもの、レンチキュラー板を利用するもの、規則的な画線パターンを利用するもの、ホログラム等が挙げられる。
【０００３】
前記凹版印刷物の画線構成を利用し、潜像画像を出現させるもの、例えば、凹版印刷された万線に潜像画像となる画線部を高い画線で構成し、その他の凹版印刷画線を潜像画像の画線より低い画線で構成している。このことにより、印刷物の角度を変えて観察すると潜像画像の画線は低い画線より画線が太く認識され、潜像画像が発現するものが開示されている（特公昭５６−１９２７３号公報）。しかしこの方法では、万線方向からは潜像画像が発現せず、万線に対して直角方向でしか発現しない。また、画線部と非画線部との高さの差でしか潜像画像が発現しないため、潜像画像が見える角度まで限定され、容易に潜像画像を確認できない。また、画線の幅が均一で向きが異なることにより潜像画像を発現させるものがある。しかし、この方法では、目視により容易に潜像画像を形成する場所が確認できてしまうという欠点がある。また、凹版印刷方式で印刷しなければならないため、他の印刷方式に比べコストが高い問題があった。
【０００４】
前記凹凸基材と印刷画線を利用するもの、例えば、本出願人は、各種万線模様又はレリーフ模様、及びそれら双方の模様のいずれかの凹凸形状を有する素材と、前記素材の色及び無色透明以外の異なった他の色による一定な間隔を持つ各種万線画線又は網点画線、及びそれら双方の画線のいずれかとを組み合わせることによって、印刷物の角度を変えて観察する時にのみ、特定の文字、図柄などが認識できるようにした潜像模様形成体とその作製方法（特許第２６１５４０１号）として登録されている。しかしながら、凹凸形状を有する素材と、各種万線画線又は網点画線との刷り合わせが難しい欠点がある。
【０００５】
前記レンチキュラー板を利用するもの、例えば、レンチキュラー板を用いて、観察角度を変えることにより当月、翌月のカレンダー表示を選択的に視認可能なカレンダーとして開示されている（実開昭５１−６７０４３号公報）。しかしながら、レンチキュラー板はコストが高く、レンチキュラーレンズ自体に厚みがり、製品自体に厚みが生じるため、薄い印刷物には不向きであり、更に、レンチキュラー板は凹凸形状を有するため、変形しやすく、破損する恐れがあった。
【０００６】
前記規則的な画線パターンを利用するもの、例えば、略透明な基材と、前記基材の一方の面に形成された第１偽造判別層と、前記基材の他方の面に形成された第２偽造判別層とを有する偽造判別媒体であって、前記第２偽造判別層は、規則的なパターンを備え、前記第１偽造判別層は、前記第２偽造判別層のパターンと周期のずれたパターンのパターン領域を備え、前記パターン領域は、前記基材の上方から目視すると、前記第２偽造判別層のパターンと一体となって、一様に塗り潰されて見えるが、前記基材を傾斜して目視すると、前記第２偽造判別層のパターンと重なって、その形状が判別可能になることを特徴とする偽造判別媒体として開示されている（特開平１１−２５４８６９号公報）。しかし、第１偽造判別層と第２偽造判別層との刷合せが難しく、複雑な潜像画像を作成するには困難であるため、偽造防止という点では単純すぎ、改良の余地があった。
【０００７】
また、近年、偽造防止効果の高い手段としてホログラムが挙げられるが、ホログラムは高度な技術、設備等によりコストが高く、少量生産には不向きであった。
【０００８】
【発明が解決しようとする課題】
以上のことから、本発明は前述した問題点を解決することを目的としたもので、印刷物を真上から観察した場合にカモフラージュ模様により線画模様を認識することができず、印刷物を斜めから観察した場合に、背景領域から線画模様が潜像画像として出現する真偽判別可能な印刷物であって、デザインの制限を受けることなく、凹版印刷方式以外の他の印刷方式でも容易に印刷でき、コストが低く、表裏合成印刷しないため刷合せの問題がなく、レンチキュラーレンズを用いることなく、薄い製品にも対応でき、デザイン上、異なる複数の潜像画像を有することが可能な真偽判別可能な印刷物を提案することを目的とする。
【０００９】
【課題を解決するための手段】
▲１▼本発明は、光透過性を有する基材上の表面に、背景を有する規則的な少なくとも一つ以上の線画から構成される線画模様と、前記線画模様を隠蔽するための、前記線画模様と色相が異なる背景を有する規則的な少なくとも一つ以上の線画から構成されるカモフラージュ模様を設け、前記線画模様及び前記カモフラージュ模様を設けた前記光透過性を有する基材の裏面に光反射性基材を設けた印刷物であって、該印刷物を真上から観察した場合に前記カモフラージュ模様しか認識できないが、斜めから観察した場合に、前記背景領域から前記線画模様が潜像画像として出現する真偽判別可能な印刷物である。
【００１０】
▲２▼本発明は、前記線画模様の線画及び前記カモフラージュ模様の線画が万線パターンからなる真偽判別可能な印刷物である。
【００１１】
▲３▼本発明は、前記線画模様の線画が文字、記号、絵柄模様からなる真偽判別可能な印刷物である。
【００１２】
▲４▼本発明は、前記印刷物において、前記カモフラージュ模様に隠蔽された前記線画模様の画線内を２分割して、一方に第１の線画模様を設け、他方に第２の線画模様を設ける真偽判別可能な印刷物である。
【００１３】
▲５▼本発明は、▲４▼記載の第１の線画模様と第２の線画模様とが同一又は異なる色相からなる真偽判別可能な印刷物である。
【００１４】
▲６▼本発明は、▲４▼又は▲５▼記載の第１の線画模様と第２の線画模様とが同一又は異なる文字、絵柄模様からなる真偽判別可能な印刷物である。
【００１５】
【発明の実施の形態】
本発明は、光透過性を有する基材上の表面に、背景を有する規則的な少なくとも一つ以上の線画から構成される線画模様と、前記線画模様を隠蔽するための、前記線画模様と色相が異なる背景を有する規則的な少なくとも一つ以上の線画から構成されるカモフラージュ模様を設け、前記線画模様及び前記カモフラージュ模様を設けた前記光透過性を有する基材の裏面に光反射性基材を設けた印刷物であって、光透過性を有する基材上に印刷された背景を有する規則的な少なくとも一つ以上の線画から構成される線画模様のみ、又は背景を有する規則的な少なくとも一つ以上の線画から構成される線画模様と、線画模様と色相が異なる背景を有する規則的な少なくとも一つ以上の線画から構成されるカモフラージュ模様の一部が、光反射性基材に反射され写し出される。
【００１６】
この印刷物を真上から観察した場合に、背景を有する規則的な少なくとも一つ以上の線画から構成される線画模様は、線画模様と色相が異なる背景を有する規則的な少なくとも一つ以上の線画から構成されるカモフラージュ模様に隠蔽されているため認識することができず、カモフラージュ模様のみ認識することができる。しかしながら、斜めから観察した場合に、光透過性を有する基材の厚さ及び光反射性基材の光の反射・屈折から、光反射性基材に反射され写し出された背景を有する規則的な少なくとも一つ以上の線画から構成される線画模様のみ、又は背景を有する規則的な少なくとも一つ以上の線画から構成される線画模様と、線画模様と色相が異なる背景を有する規則的な少なくとも一つ以上の線画から構成されるカモフラージュ模様の一部が背景領域から潜像画像として認識できる。
【００１７】
本発明の印刷物を斜めから観察した場合、潜像画像を出現させるには、背景を有する規則的な少なくとも一つ以上の線画から構成される線画模様の色相と、前記線画模様を隠蔽するための、背景を有する規則的な少なくとも一つ以上の線画から構成されるカモフラージュ模様の色相が異なっている必要がある。更には、線画模様の色相とカモフラージュ模様の色相とが、補色の関係であることが好ましい。
【００１８】
本発明は、線画模様の領域が、カモフラージュ模様の領域より小さくすることにより、この印刷物を真上から観察した場合、潜像画像を完全に認識できなくすることが可能となる。
【００１９】
本発明の万線パターンは直線万線、波万線、同心円万線を用いることができる。
【００２０】
本発明の線画模様は線画で構成された、文字、図形、記号、絵柄模様を用いることができる。
【００２１】
本発明のカモフラージュ模様は、線画模様を隠蔽するために用いられるため、模様の形状にはとらわれることなく、直線万線、波万線、同心円万線、絵柄、機械読取可能なバーコード、二次元バーコード等の形状を印刷することができる。また、本発明のカモフラージュ模様に銀インキを用いることにより、光反射性基材と近似色となるため、一見、見た限りでは、真上から見た場合でもカモフラージュ模様がどこに付与されているのか分からなくなるため偽造防止の向上を図ることができる。更には、本発明のカモフラージュ模様は印刷物を斜めから観察した場合に、潜像画像を一層明瞭に出現させるには等間隔の直万線パターンであることが好ましい。
【００２２】
本発明は、印刷物において、カモフラージュ模様に隠蔽された線画模様の画線内を２分割して、一方に第１の線画模様を設け、他方に第２の線画模様を設けることで２種類の潜像画像が表現できる。この場合、第１の線画模様と第２の線画模様とが同一又は異なる色相にすることにより偽造防止の効果が向上する。更に，第１の線画模様と第２の線画模様の模様とが同一又は異なる文字、絵柄模様にすることにより偽造防止の効果が向上する。
【００２３】
本発明の光反射性基材は、アルミニウム箔、金箔、銀箔等の表面反射率の高い金属箔が使用でき、金属箔と同様の材質を印刷物の裏面に金属蒸着させても良い。また、ホログラムを用いることにより、偽造防止の向上を図ることができる。
【００２４】
本発明の光透過性を有する基材は、透明な基材が好ましいが、光を透過できる基材であれば良く、色彩を有する半透明の基材も使用することができる。材質は、例えば、ポリエチレン、ポリプロピレン、ポリエステル、ナイロンポリウレタン、ポリ塩化ビニル、ポリ酢酸ビニル、ポリアクリル等が用いられる。
【００２５】
本発明の光透過性を有する基材の厚さは、特に限定されるものでなく６０ミクロン程度の薄い基材から７６０ミクロン程度のカード基材等（例えば、厚さ０．７６±０．０８ｍｍ（ＪＩＳ  Ｘ６３０１  識別カード物理特性））であっても有効であり、線画の幅にもよるが、基材が厚い場合、印刷物を傾ける角度が浅くても効果が生じ、基材が薄い場合は印刷物の傾ける角度を深くすれば効果が生じる。また、線画模様及び／又はカモフラージュ模様を万線パターンにする場合は、本発明の光透過性を有する基材の厚さは、光透過性を有する基材：万線のピッチ幅＝１：１の関係を満足することが好ましい。
【００２６】
本発明の印刷に使用される印刷手段は限定されるものでなくオフセット印刷、グラビア印刷、フレキソ印刷、凹版印刷等の印刷手段で可能である。また、印刷機の調整おいては、特別な調整は不要であり、一般的な設定で印刷することが可能である。
【００２７】
【実施例】
以下、実施例を用いて本発明を更に詳細に説明するが、本発明の内容は、これらの実施例の範囲に限定されるものではない。本実施例では透明フィルムの裏面に接着層を設け、金属箔を貼付しているが、本発明は、透明フィルムと金属箔が隣接していれば接着層を設けなくとも良い。
【００２８】
図１及び図２は、本発明の基本的原理を示す図である。透明フィルム基材１に、背景を有する規則的な線画から構成される線画模様２を印刷し、更に線画模様２を隠蔽するための、線画模様２と色相が異なる背景を有する規則的な線画から構成されるカモフラージュ模様３を印刷し、線画模様２及びカモフラージュ模様３を印刷した透明フィルム基材１の裏面に接着層４、金属箔５を積層したものを図１（ａ）に示す。図１（ｂ）に示すように透明フィルム基材１上に印刷された線画模様２は、光反射を有する金属箔５に線画模様２’として反射され写し出される。この印刷物を図１（ｂ）に示すＸ方向から観察した場合、図１（ｃ）に示すように、線画模様２及び線画模様２’はカモフラージュ模様３により認識することができない。
【００２９】
この印刷物を図２（ａ）に示すＹ方向から観察した場合、図２（ｂ）に示すように、光源からの光がＳ１方向から入射された場合（実際にはＳ１方向だけではない）、Ｓ１は透明フィルム基材１により、垂線１と透明フィルム基材１の表面の交点からＳ２方向に屈折され、Ｓ２は金属箔５により、Ｓ３方向に反射され、Ｓ３は線画模様２によりＳ４方向に反射され、線画模様２は金属箔５に線画模様２’として写し出される。Ｓ４は金属箔５により、Ｓ５方向に反射され、透明フィルム基材１により，垂線２と透明フィルム基材１の表面の交点から屈折が生じ、Ｙ方向に反射される。よって、金属箔５に写し出された線画模様２’は透明フィルム基材１の厚さ、光の反射・屈折により、背景領域Ａから、図２（ｃ）に示すように潜像画像として認識できる。
【００３０】
（実施例１）
図３（ａ）は線画模様６であり、図３（ｂ）は線画模様６を隠蔽するためのカモフラージュ模様７である。線画模様６は画線幅１００ミクロンの画線群からなる文字（アルファベット：Ｔ）であり、カモフラージュ模様７は、ピッチ幅２００ミクロン、画線幅１００ミクロンの線画で構成される。線画模様６及びカモフラージュ模様７をもとに、それぞれを市販のレーザープロッターを用いて製版用フィルム作製し、次に製版用フィルムから市販のポジタイプのＰＳ版を作製し、得られた刷版を用い、厚さ２００ミクロンの透明フィルム基材１上に、図３（ｃ）に示すように市販のオフセットインキ（イエロー）で線画模様６を印刷し、更に線画模様６上に重なるように、市販のオフセットインキ（ブラック）でカモフラージュ模様７を重ね刷りし、透明フィルム基材１の裏面に市販の接着層４を有する金属箔５を貼付し、図３（ｃ）に示す実施例１の印刷物を得た。図３（ｃ）は図３（ａ）及び図３（ｂ）のＸ−Ｘ断面図である。
【００３１】
図４（ａ）は図３（ａ）及び図３（ｂ）のＸ−Ｘ断面図であり、図４（ｂ）は図４（ａ）に示すＸ方向から観察した場合の図であり、図４（ｃ）は図４（ａ）に示すＹ方向から観察した場合の図である。図４（ｂ）に示すように実施例１の印刷物を真上から観察した場合、線画模様６はカモフラージュ模様７に隠蔽されているため認識することができず、カモフラージュ模様７（黒い線画）のみ観察することができる。実施例１の印刷物をＹ方向から観察した場合、カモフラージュ模様７はそのまま認識され、金属箔に反射され写し出された線画模様６’及び一部のカモフラージュ模様７’は観察角度、画線幅、透明フィルム基材１の厚さ、光の反射・屈折により背景領域Ａから認識することができた。よって、図４（ｃ）に示すように潜像画像（アルファベット：Ｔ）が認識することができた。
【００３２】
（実施例２）
図５（ａ）は線画模様８であり、図５（ｂ）は潜像を隠蔽するためのカモフラージュ模様９である。カモフラージュ模様９のピッチ幅３００ミクロン、画線幅１５０ミクロンの線画で構成し、線画模様８は、カモフラージュ模様９の画線幅である１５０ミクロンの画線を半分（７５ミクロン）に分け、右側の画線を８ａ、左側の画線を８ｂとした。右側の画線を８ａだけならべると潜像Ｖが認識できるように画線設計をし、左側の画線を８ｂだけならべると潜像Ｘが認識できるように画線設計をした。線画模様８ａ、線画模様８ｂ及びカモフラージュ模様９をもとに、それぞれを市販のレーザープロッターを用いて製版用フィルム作製し、次に製版用フィルムから市販のポジタイプのＰＳ版を作製し、得られた刷版を用い、厚さ２００ミクロンの透明フィルム基材１上に、図５（ｃ）に示すように市販のオフセットインキ（シアン）で線画模様８ａを印刷し、市販のオフセットインキ（イエロー）で線画模様８ｂを印刷し、更に線画模様８上に重なるように、市販のオフセットインキ（ブラック）でカモフラージュ模様９を重ね刷りし、透明フィルム基材１の裏面に市販の接着層４を有する金属箔５を貼付し、図５（ｃ）に示す実施例２の印刷物を得た。図５（ｃ）は図５（ａ）及び図５（ｂ）のＸ−Ｘ断面図である。
【００３３】
図６（ａ）は図５（ａ）及び図５（ｂ）のＸ−Ｘ断面図であり、図６（ｂ）は図６（ａ）に示すＹ１方向から観察した場合の図であり、図６（ｃ）は図６（ａ）に示すＹ２方向から観察した場合の図である。実施例２の印刷物を真上から観察した場合、線画模様８ａ及び８ｂはカモフラージュ模様９に隠蔽されているため認識することができず、カモフラージュ模様９（黒い線画）のみ観察することができる。実施例２の印刷物をＹ１方向、つまり、右側から観察した場合、カモフラージュ模様９はそのまま認識され、金属箔に反射され写し出された線画模様８ａ’及び一部のカモフラージュ模様９’の画線部は観察角度、画線幅、透明フィルム基材１の厚さ、光の反射・屈折により背景領域Ａから認識することができた。よって、図６（ｂ）に示すように線画模様８ａ’の潜像Ｖが認識することができた。更に実施例２の印刷物をＹ２方向、つまり、左側から観察した場合、カモフラージュ模様９そのまま認識され、金属箔に反射され写し出された線画模様８ｂ’及び一部のカモフラージュ模様９’の画線部は観察角度、画線幅、透明フィルム基材１の厚さ、光の反射・屈折により背景領域Ａから認識することができた。よって、図６（ｃ）に示すように線画模様８ｂ’の潜像Ｘが認識することができた。
【００３４】
以上、本実施例に基づいて説明したが、本発明はこれに限定されるものでなく、特許請求の範囲記載における技術的思想の範囲内であれば、その他のいろいろな実施形態が考えられる。
【００３５】
【発明の効果】
ミクロン以上の厚みを有した光透過性を有する基材上の表面に、線画模様と、線画模様を隠蔽するための、線画模様と色相が異なるカモフラージュ模様を設け、線画模様及びカモフラージュ模様を設けた光透過性を有する基材の裏面に光反射性基材を設けた印刷物を真上から観察した場合にカモフラージュ模様により線画模様を認識することができず、印刷物を斜めから観察した場合に、背景領域から線画模様が潜像画像として出現するため、複写された場合に偽造品かどうか容易に真偽判別することができる。線画模様は、デザインの制限を受けることがないため、複数の複雑な文字、記号、絵柄模様を用いることができ、偽造防止の向上を図ることができる。
【００３６】
更に、凹版印刷方式以外の他の印刷方式でも容易に印刷できるため、コストが低く、表裏合成印刷しないため刷合せの問題がなく、透過性を有する基材であれば、幅広い厚さにも対応できるため、ポリマーノート、識別カード等の幅広い偽造、変造を防止する必要性のある貴重印刷物に適用することができる。
【図面の簡単な説明】
【図１】本発明の基本的原理を示す図である。
【図２】本発明の基本的原理を示す図である。
【図３】本発明の線画模様及びカモフラージュ模様からなる印刷物の拡大図及び断面図を示す図である。
【図４】本発明の構成による印刷物の断面図と、印刷物を真上又は斜めから観察した場合の図である。
【図５】本発明の線画模様及びカモフラージュ模様からなる印刷物の拡大図及び断面図を示す図である。
【図６】本発明の構成による印刷物の断面図と、印刷物を真上又は斜めから観察した場合の図である
【符号の説明】
１                透明フィルム基材
２、６、８        線画画像
３、７、９        カモフラージュ模様
２’、６’、８’    金属箔に反射され写し出された線画画像
７’、９’         金属箔に反射され写し出されたカモフラージュ模様
４    接着層
５    金属箔
Ａ    背景領域
【図１】
0004734614.tif 000002
【図２】
0004734614.tif 000003
【図３】
0004734614.tif 000004
【図４】
0004734614.tif 000005
【図５】
0004734614.tif 000006
【図６】
0004734614.tif 000007